(57)【要約】【課題】興趣の飛躍的な向上等を図ることのできる遊技機を提供する。【解決手段】パチンコ機は、発射装置６０により発射された遊技球が案内される遊技領域を有した遊技盤３０に、表示装置とその液晶表示部４２ａを囲むセンターフレーム４７とを有した可変表示装置ユニット３５を備えている。センターフレーム４７は、遊技球の転動を許容するメインステージ部７７０を備えるとともに、その上方位置に、左右両上ステージ部７８３，７８４を備えることにより、上下２層の転動遊技領域を備えた構成となっている。さらに、左右両上ステージ部７８３，７８４が左右方向に離間した離間部の後方位置の奥壁部分には、第１の演出表示部である液晶表示部４２ａとは異なる第２の演出表示部が設けられている。【選択図】      図４
2020044419.tif 000002
【特許請求の範囲】
【請求項１】
発射装置により発射された遊技球が案内される遊技領域を有した遊技盤に、所定の演出表示部を有した演出装置を備えるとともに、当該演出装置の下方に所定の入球手段を備え、
前記入球手段に遊技球が入球することに基づいて、所定条件が成立した場合には特別遊技状態を付与する遊技機であって、
前記演出装置は、
前記演出表示部よりも下方位置にて遊技球の転動を許容する第１転動遊技領域と、当該第１転動遊技領域よりも下方位置にて遊技球の転動を許容する第２転動遊技領域とを備えることによって、上下方向に離間した上下２層の転動遊技領域を備えるとともに、
前記第１転動遊技領域には、少なくとも一部が左右方向に離間した離間部が形成され、
前記離間部の後方位置にあたる前記第１及び第２転動遊技領域間の奥壁部において第２の演出表示部を設けたことを特徴とする遊技機。
【発明の詳細な説明】
【技術分野】
【０００１】
本発明は、パチンコ機等の遊技機に関するものである。
【背景技術】
【０００２】
遊技機の一種としてパチンコ機がある。パチンコ機では、例えば、遊技球を発射装置によって遊技領域に発射し、遊技領域に設けられた所定の始動入球手段に遊技球が入球すると大当たり状態を発生させるか否か当否抽選を行い、これに伴い所定の表示装置において識別情報が変動表示され、前記当否抽選の抽選結果に基づいた特定態様で識別情報が停止表示されると、遊技者に有利な大当たり状態が発生し、遊技者は多くの遊技価値（賞球）を獲得することが可能となる。
【０００３】
パチンコ機の中には、遊技者の興趣を向上させるべく、例えば各種表示演出を行う液晶表示装置等の表示装置や、これの周囲を囲むセンターフレームにステージ等の球転動部を備えたものがある。
【０００４】
かかるパチンコ機では、遊技領域を流下する遊技球をセンターフレームのステージ上へ案内し、当該ステージ上における遊技球の挙動を遊技者に視認させ、遊技者の興趣の向上が図られている。例えば、ステージに案内される遊技球は、しばらくステージ上で転動した後、遊技球の転動の仕方によっては、始動入球手段へ入球したりする。このため、遊技者は、ステージ上における遊技球の挙動に期待感を持って注目する。
【０００５】
近年では、さらなる興趣の向上を得ようと、このようなステージを上下２層に備えた遊技機も見受けられる（例えば、特許文献１参照）。
【先行技術文献】
【特許文献】
【０００６】
【特許文献１】特許第４０１０２５２号公報
【発明の概要】
【発明が解決しようとする課題】
【０００７】
ところが、近年のパチンコ機では、表示装置における表示演出により遊技者の興趣を向上させるべく、表示部が大型化される傾向にある。かかる場合、ステージを上下２層に設けようとした場合には、両ステージの間隔を狭くせざるを得ず、下層のステージに案内される遊技球が、上層のステージ部が邪魔をして視認し難くなるおそれがある。
【０００８】
特に表示装置の表示部における演出に遊技者が注目している場合、上方が開け表示部に面した上層のステージに関しては、当該ステージへ遊技球が案内されても、当該遊技球を即座に目で追うことが可能であるが、下層のステージに関しては、例えば転動していた遊技球が当該ステージから導出され、始動入球手段へ入球したことすら気付かないおそれもある。結果として、遊技球の挙動を楽しむ遊技者にとっては興趣が低減してしまうおそれがあった。
【０００９】
さらに、上下両ステージ間の奥壁部分においては、特段何らの演出も行われない無駄な領域となり、限られた遊技領域を十分に遊技演出に活用しているとは言えなかった。
【００１０】
本発明は、上記例示した問題点などを解決するためになされたものであり、その目的は、興趣の飛躍的な向上等を図ることのできる遊技機を提供することにある。
【課題を解決するための手段】
【００１１】
上記の目的を達成するため、本発明に係る遊技機は、
発射装置により発射された遊技球が案内される遊技領域を有した遊技盤に、所定の演出表示部を有した演出装置を備えるとともに、当該演出装置の下方に所定の入球手段を備え、
前記入球手段に遊技球が入球することに基づいて、所定条件が成立した場合には特別遊技状態を付与する遊技機であって、
前記演出装置は、
前記演出表示部よりも下方位置にて遊技球の転動を許容する第１転動遊技領域と、当該第１転動遊技領域よりも下方位置にて遊技球の転動を許容する第２転動遊技領域とを備えることによって、上下方向に離間した上下２層の転動遊技領域を備えるとともに、
前記第１転動遊技領域には、少なくとも一部が左右方向に離間した離間部が形成され、
前記離間部の後方位置にあたる前記第１及び第２転動遊技領域間の奥壁部において第２の演出表示部を設けたことをその要旨としている。
【発明の効果】
【００１２】
本発明の遊技機によれば、興趣の飛躍的な向上等を図るという優れた効果を奏する。
【図面の簡単な説明】
【００１３】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】可変表示装置ユニットの斜視図である。
【図８】可変表示装置ユニットの正面側からの分解斜視図である。
【図９】可変表示装置ユニットの背面側からの分解斜視図である。
【図１０】上部役物ユニット及び下部役物ユニットを組付けたフレームカバーの斜視図である。
【図１１】センターフレームの正面図である。
【図１２】右斜め上から見たセンターフレームの斜視図である。
【図１３】左斜め上から見たセンターフレームの斜視図である。
【図１４】図１１のＫ−Ｋ線断面図である。
【図１５】図１１のＬ−Ｌ線断面図である。
【図１６】（ａ）は段差部とリブを示す部分拡大正面図であり、（ｂ）はその断面図である。
【図１７】パチンコ機の主な電気的構成を示すブロック図である。
【発明を実施するための形態】
【００１４】
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００１５】
図３等に示すように、パチンコ機１０は、当該パチンコ機１０の外郭を構成する外枠１１を備えており、この外枠１１の一側部に内枠１２が開閉可能に支持されている。
【００１６】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１７】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１８】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００１９】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００２０】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００２１】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２２】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２３】
図１に示すように、前面枠セット１４の前面側には、その下部中央において球受皿としての下皿１５が設けられており、排出口１６より排出された遊技球Ｂが下皿１５内に貯留可能になっている。また、下皿１５の手前側には、下皿１５内から遊技球Ｂを排出するための球抜きレバー２５が設けられている。加えて、下皿１５の左部には、ＬＥＤが内蔵された演出ボタン１２５が設けられており、演出ボタン１２５を押圧操作することで、後述する装飾図柄表示装置４２等において対応する演出が行われたり、演出内容が変更されたりする。
【００２４】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００２５】
下皿１５の上方には上皿１９が設けられている。上皿１９は、遊技球Ｂを一旦貯留し、一列に整列させながら後述する発射手段としての遊技球発射装置（以下、単に発射装置という）６０の方へ案内する球受皿である。尚、上皿１９が遊技球Ｂで満杯になった状態では、払出される遊技球Ｂは、後述する下皿連通路７１及び排出口１６を介して、下皿１５へと案内される。
【００２６】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球Ｂが直接貸し出されるパチンコ機、いわゆる現金機では球貸しボタン１２１及び返却ボタン１２２は不要である。
【００２７】
さらに、上皿１９には、球抜きボタン１２３が設けられている。球抜きボタン１２３が押圧操作されることで、上皿１９の球案内路の下流側に設けられ、下皿１５に連通する連通孔（図示略）が開口し、上皿１９に貯留されていた遊技球Ｂが下皿１５へと案内される（落下する）。つまり、遊技者は、球抜きボタン１２３を操作することで、上皿１９にある遊技球Ｂをいつでも下皿１５に移すことができる。
【００２８】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した枠ランプ１０２が設けられている。また、該枠ランプ１０２の両側部には、所定のエラー時に点灯するエラー表示ランプ１０４が設けられている。尚、枠ランプ１０２のうち各エラー表示ランプ１０４の上方部位には、前面枠セット１４の背面に設けられるスピーカＳＰ（図３参照）に対応して細かな透孔が多数形成されている。
【００２９】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００３０】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３１】
また、内枠１２（樹脂ベース３８）の前面下部、すなわち窓孔３９（遊技盤３０）の下方位置には、発射装置６０及び当該発射装置６０より発射された直後の遊技球Ｂを案内する発射レール６１が取付けられている。本実施形態では、発射装置６０としてソレノイド式発射装置を採用している。また、発射装置６０の上方には、上皿１９から案内される遊技球Ｂを、内蔵された駆動手段（例えばソレノイド）の駆動により、１球ずつ発射装置６０の発射位置へと案内する球送り装置６３が設けられている。
【００３２】
次に、遊技盤３０の構成について図４を参照して説明する。遊技盤３０には、一般入賞口３１、可変入賞装置３２、始動入賞ユニット（始動口）３３、スルーゲート３４、可変表示装置ユニット３５、第１特別表示装置４３Ｌ及び第２特別表示装置４３Ｒ等がルータ加工によって形成された貫通孔に配設され、遊技盤３０前面側から木ネジ等により取付けられている。周知の通り一般入賞口３１、可変入賞装置３２、始動入賞ユニット３３などの各種入賞口に遊技球Ｂが入球（入賞）すると、各種検出スイッチにより検出され、上皿１９（又は下皿１５）へ所定数の賞球が払い出される。例えば、始動入賞ユニット３３への入球があった場合には３個、一般入賞口３１への入球があった場合には１０個、可変入賞装置３２への入球があった場合には１５個の遊技球Ｂが上皿１９（下皿１５）に払出される。その他に、遊技盤３０にはアウト口３６が設けられており、一般入賞口３１等の各種入賞口に入賞しなかった遊技球Ｂは、このアウト口３６を通って遊技領域外へと排出される。また、遊技盤３０には、遊技球Ｂの落下方向を適宜分散、調整等するために多数の釘が植設されているとともに、風車等の各種部材（役物）が配設されている。
【００３３】
始動入賞ユニット３３は、所定の入球手段（始動入球手段）としての上入賞口３３ａ（第１始動入球手段）及び下入賞口３３ｂ（第２始動入球手段）と、下入賞口３３ｂの両側部に設けられた開閉する一対の開閉部材３３ｃを備えている。上入賞口３３ａは、遊技球Ｂが常時入球可能となっているのに対し、下入賞口３３ｂは、開閉部材３３ｃが所定条件の成立に応じて開閉動作することにより、遊技領域を流下する遊技球Ｂが入球可能な開状態と、遊技球Ｂが入球不可能な閉状態との間で状態変化可能に構成されている。尚、詳しくは後述するが、始動入賞ユニット３３は、上入賞口３３ａ、下入賞口３３ｂに入球した遊技球Ｂをそれぞれ検知する条件成立検出手段（入球検知手段）としての第１始動入賞スイッチ２２４ａ、第２始動入賞スイッチ２２４ｂを備えており、当該始動入賞スイッチ２２４ａ、２２４ｂにて遊技球Ｂが検知された場合に、大当たり状態を発生させるか否かの当否抽選が行われるとともに、特別表示装置４３Ｌ、４３Ｒ（及び後述する装飾図柄表示装置４２）にて変動表示が行われる構成となっている。そして、当否抽選にて当選した場合には、大当たり状態（特別遊技状態）が付与される。
【００３４】
本実施形態では、大当たり種別として、「１６Ｒ確変大当たり」、「１６Ｒ通常大当たり」、「２Ｒ確変大当たり」及び「２Ｒ潜伏確変大当たり」がある。「１６Ｒ確変大当たり」及び「１６Ｒ通常大当たり」の大当たり状態においては、可変入賞装置３２が３０秒間開放状態とされる、又は可変入賞装置３２に８個の遊技球Ｂが入賞することを１ラウンドとして、これが１６回繰り返される。一方、「２Ｒ確変大当たり」及び「２Ｒ潜伏確変大当たり」の大当たり状態においては、可変入賞装置３２が０．４秒間開放状態とされることを１ラウンドとして、これが２回繰り返される。すなわち、「１６Ｒ確変大当たり」及び「１６Ｒ通常大当たり」の大当たり状態は、遊技球Ｂの大幅な増加が望めるのであるが、「２Ｒ確変大当たり」及び「２Ｒ潜伏確変大当たり」の大当たり状態は、大当たり状態中に獲得可能な遊技球Ｂの数が著しく少ない（遊技球Ｂの増加がほぼ望めない）ものとなる。
【００３５】
さらに、「１６Ｒ確変大当たり」、「２Ｒ確変大当たり」又は「２Ｒ潜伏確変大当たり」が発生した場合には、大当たり状態の終了後に高確率状態（特定モードとしての高確率モード）が付与される。但し、「２Ｒ潜伏確変大当たり」が発生した場合には、高確率モードが付与されている状態を遊技者が認識しにくい状態、すなわち潜伏状態（潜伏確変モード）となる。一方、「１６Ｒ通常大当たり」が発生した場合、大当たり状態の終了後に低確率状態（時間短縮モードや通常モード等の低確率モード）が付与される。
【００３６】
尚、本実施形態では、遊技球Ｂが上入賞口３３ａに入球した場合と、下入賞口３３ｂに入賞した場合とで、当否抽選にて当選した場合に付与される大当たり種別の振分けが異なるようになっている。上入賞口３３ａへの遊技球Ｂの入球を契機とする当否抽選に当選した場合には、「１６Ｒ確変大当たり」、「１６Ｒ通常大当たり」、「２Ｒ確変大当たり」又は「２Ｒ潜伏確変大当たり」のいずれかに振分けられ、下入賞口３３ｂへの遊技球Ｂの入球を契機とする当否抽選に当選した場合には、「１６Ｒ確変大当たり」又は「１６Ｒ通常大当たり」のどちらかに振分けられることとなる。
【００３７】
第１及び第２特別表示装置４３Ｌ、４３Ｒは、７セグメント表示装置により構成され、可変入賞装置３２の右方に設置されている。そして、始動入賞ユニット３３の上入賞口３３ａへの遊技球Ｂの入球を契機として第１特別表示装置４３Ｌにて切替表示（変動表示）が行われ、下入賞口３３ｂへの遊技球Ｂの入球を契機として第２特別表示装置４３Ｒにて切替表示（変動表示）が行われる構成となっている。尚、特別表示装置４３Ｌ、４３Ｒは、後述する主制御装置２６１によって表示内容が直接的に制御される。
【００３８】
また、第１及び第２特別表示装置４３Ｌ、４３Ｒにて変動表示が行われた後、当該変動表示が停止したときの表示態様（例えば、文字）により、大当たりか否かが確定的に表示される。例えば、上入賞口３３ａに遊技球Ｂが入賞すると、対応する第１特別表示装置４３Ｌにて、「−」→「７」→「３」→「２」→「１」→「−」→・・・という具合に高速で（例えば４ｍｓｅｃ毎に）切替表示（変動表示）がなされ、所定時間が経過すると、いずれかの表示態様を停止表示（例えば数秒間停止）する。そして、大当たり抽選に当選した場合には、「７」、「３」、「２」、「１」のいずれかが変動停止時に表示され、大当たり状態が発生する。但し、遊技球Ｂが下入賞口３３ｂへ入賞した場合には、「２Ｒ確変大当たり」及び「２Ｒ潜伏確変大当たり」は発生しないため、第２特別表示装置４３Ｒにおいて「２」、「１」が決定表示されることはない。
【００３９】
具体的に、「１６Ｒ確変大当たり」が付与される場合には、第１又は第２特別表示装置４３Ｌ、４３Ｒにおいて「７」が停止表示され、「１６Ｒ通常大当たり」が付与される場合には、第１又は第２特別表示装置４３Ｌ、４３Ｒにおいて「３」が停止表示され、「２Ｒ確変大当たり」が付与される場合には第１特別表示装置４３Ｌにおいて「２」が停止表示され、「２Ｒ潜伏確変大当たり」が付与される場合には第１特別表示装置４３Ｌにおいて「１」が停止表示される。
【００４０】
また、第１特別表示装置４３Ｌ又は第２特別表示装置４３Ｒのどちらか一方において、変動表示又は決定表示が行われている場合には、他方が消灯状態とされており（「−」を表示しておいてもよい）、どちらにおいても変動表示及び決定表示が行われていない場合には、両方においてそれぞれ「−」が表示される。
【００４１】
また、第１又は第２特別表示装置４３Ｌ、４３Ｒの変動表示中に新たに遊技球Ｂが始動入賞ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では、上入賞口３３ａに入賞した遊技球Ｂ、及び下入賞口３３ｂに入賞した遊技球Ｂに対応して、それぞれ４回までの変動表示（合計８回の変動表示）が保留される。また、その保留回数が第１保留ランプ４６ａ、第２保留ランプ４６ｂにて点灯表示されるようになっている。尚、大当たり状態中に新たに遊技球Ｂが始動入賞ユニット３３に入賞した場合、その分の変動表示についても保留される。
【００４２】
尚、基本的に、上入賞口３３ａへの入賞を契機とする変動表示は、対応する遊技球Ｂが上入賞口３３ａへ入球した順に記憶されるとともに入球した順に消化され、下入賞口３３ｂへの入賞を契機とする変動表示は、対応する遊技球Ｂが下入賞口３３ｂへ入球した順に記憶されるとともに入球した順に消化される。但し、上入賞口３３ａへの入賞を契機とする変動表示、及び、下入賞口３３ｂへの入球を契機とする変動表示の両方が保留されている場合（第１保留ランプ４６ａ及び第２保留ランプ４６ｂがそれぞれ１つ以上点灯している場合）には、下入賞口３３ｂへの入球を契機とする変動表示が優先的に消化される。すなわち、下入賞口３３ｂへの入賞を契機とする変動表示が全て消化された状態でなければ、上入賞口３３ａへの入球を契機とする変動表示が行われない構成となっている。例えば、第１保留ランプ４６ａが１つ点灯している状態において、下入賞口３３ｂに遊技球Ｂが入球し、第２保留ランプ４６ｂが１つ点灯した場合、上入賞口３３ａへの入球を契機とする変動表示が後回しにされ、先に下入賞口３３ｂへの入球を契機とする変動表示が行われることとなる。
【００４３】
また、スルーゲート３４は、遊技領域を流下する遊技球Ｂが１球ずつ通過可能に構成されている。詳しくは後述するが、スルーゲート３４は、当該スルーゲート３４を通過する遊技球Ｂを検知可能なスルーゲートスイッチ２２５を備えており、当該スルーゲートスイッチ２２５にて遊技球Ｂが検知された場合に、始動入賞ユニット３３を開状態とするか否かの開放抽選が行われるとともに、普通図柄表示装置４１にて変動表示が行われる構成となっている。そして、開放抽選にて当選した場合には、始動入賞ユニット３３（開閉部材３３ｃ）が規定時間だけ開状態とされる。
【００４４】
可変表示装置ユニット３５には、スルーゲート３４の通過を契機として変動表示する普通図柄表示装置４１と、第１及び第２特別表示装置４３Ｌ、４３Ｒによる変動表示に合わせて変動表示する装飾図柄表示装置４２とが設けられている。さらに、可変表示装置ユニット３５には、装飾図柄表示装置４２にて行われている変動表示が上入賞口３３ａ及び下入賞口３３ｂのうちどちらの入球に対応するものであるかを示す変動特定ランプ４０と、上記第１保留ランプ４６ａ及び第２保留ランプ４６ｂと、保留ランプ４４とが設けられている。
【００４５】
普通図柄表示装置４１は、普通図柄として「○」又は「×」を点灯表示可能に構成されており、遊技球Ｂがスルーゲート３４を通過する毎に例えば普通図柄を「○」→「×」→「○」→・・・という具合に高速で切換表示（変動表示）する。そして、その変動表示が「○」図柄（当選図柄）で数秒間停止した場合には、始動入賞ユニット３３が所定時間だけ開状態となる。この普通図柄表示装置４１は、後述する主制御装置２６１によって直接的に表示内容が制御される。
【００４６】
また、普通図柄表示装置４１の変動表示中に、新たに遊技球Ｂがスルーゲート３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００４７】
装飾図柄表示装置４２は液晶表示装置により構成されており、後述するサブ制御手段としてのサブ制御装置２６２及び表示制御装置４５によって表示内容が制御される。すなわち、装飾図柄表示装置４２においては、第１及び第２特別表示装置４３Ｌ、４３Ｒにて表示される結果に対応させるように、主制御手段としての主制御装置２６１からのコマンドに基づき、サブ制御装置２６２によって補助的な表示内容が決定され、後述する表示制御装置４５によって表示が行われる。
【００４８】
装飾図柄表示装置４２には、例えば、上、中及び下の３つの図柄表示領域が設けられ、各図柄表示領域において複数種類の図柄（数字）が順次表示され（変動表示され）、その後、図柄表示領域毎に順番に（例えば、上図柄表示領域→下図柄表示領域→中図柄表示領域の順に）図柄が停止表示されるようになっている。例えば、主制御装置２６１にて「１６Ｒ確変大当たり」又は「１６Ｒ通常大当たり」が確定すると、第１又は第２特別表示装置４３Ｌ、４３Ｒにて大当たりに対応する表示がなされるとともに、装飾図柄表示装置４２にて図柄が大当たりに対応する組合わせで停止表示され（例えば、上図柄表示領域、中図柄表示領域、及び下図柄表示領域にて停止表示される図柄が同一となり）、大当たり状態が開始される。なお、「２Ｒ確変大当たり」又は「２Ｒ潜伏確変大当たり」の場合、後述するように装飾図柄表示装置４２にて停止表示される図柄の組合わせは、大当たりに対応するものではない。
【００４９】
また、図柄が大当たりに対応する組合わせで停止表示される場合には、その前段階として、例えば、上図柄表示領域及び下図柄表示領域において同一の図柄が停止表示されることとなる。このように上図柄表示領域及び下図柄表示領域にて同一図柄が停止表示されるとともに、中図柄表示領域において未だ変動表示が行われている状態がリーチ状態である。
【００５０】
尚、リーチ状態が発生しても、大当たり状態が発生しない場合には、上図柄表示領域及び下図柄表示領域において停止表示された図柄とは異なる図柄が中図柄表示領域において停止表示される。また、「１６Ｒ確変大当たり」又は「１６Ｒ通常大当たり」となる場合には、上記のように装飾図柄表示装置４２においてゾロ目の数字が停止表示されるのではあるが、「２Ｒ確変大当たり」となる場合には、ゾロ目ではなく、予め定められた特定の数字の組合わせ（以下、チャンス図柄と称する）が停止表示される。例えば、上・中・下図柄表示領域において、「３」・「４」・「１」が停止表示される。「２Ｒ潜伏確変大当たり」となる場合には、予め定められた特定の数字の組合わせではなく、表面上、外れ時と同様に、ランダムな外れの組合わせで停止表示される。
【００５１】
加えて、変動特定ランプ４０は、発光色が青色のＬＥＤ及び発光色が赤色のＬＥＤを備えており、装飾図柄表示装置４２において、上入賞口３３ａへの入球を契機とする変動表示が行われている場合には青色に発光し、下入賞口３３ｂへの入球を契機とする変動表示が行われている場合には赤色に発光する。
【００５２】
また、演出装置としての可変表示装置ユニット３５には、装飾図柄表示装置４２を囲むようにして枠部材としてのセンターフレーム４７が配設されている。可変表示装置ユニット３５及びセンターフレーム４７の詳細については後述する。
【００５３】
可変入賞装置３２は、通常は遊技球Ｂが入賞できない閉状態になっており、大当たり（特別遊技状態の発生）の際に、遊技球Ｂが入賞可能な開状態とされる。
【００５４】
また、遊技盤３０には、内レール構成部５１と外レール構成部５２とからなり、発射装置６０から発射された遊技球Ｂを遊技盤３０上部へ案内するレール５０が取付けられている。これにより、ハンドル１８の回動操作に伴い発射された遊技球Ｂは発射レール６１及びレール５０を通じて、遊技盤３０とガラスユニット１３７との間に形成される遊技領域内に案内される。
【００５５】
内レール構成部５１の先端部分（図４の左上部）には戻り球防止部材５３が取着されている。これにより、一旦、レール５０から遊技領域へと案内された遊技球Ｂが再度レール５０内に戻ってしまうといった事態が防止される。
【００５６】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、発射装置６０にて打出された遊技球Ｂが、戻り球防止部材５３を通過するまでは、レール５０を逆流する場合があるため、内外レール構成部５１，５２の並行部分は遊技領域から除かれる。
【００５７】
図３に示すように、前面枠セット１４の背面側には、窓部１０１の下方において、球通路ユニット７０が設けられている。球通路ユニット７０は、後述する払出機構部３５２から下皿１５の排出口１６へ繋がる下皿連通路７１と、払出機構部３５２から上皿１９へ繋がる上皿連通路７３と備えている。また、内枠１２に設けられた発射レール６１とレールユニット５０（外レール構成部５２）との間には所定間隔の隙間があり、球通路ユニット７０には、前記隙間より落下した遊技球Ｂを下皿１５へと案内するファール球通路７２が形成されている。これにより、仮に、発射装置６０から発射された遊技球Ｂが戻り球防止部材５３まで至らずファール球としてレール５０を逆戻りする場合には、そのファール球がファール球通路７２を介して下皿１５に排出される。
【００５８】
また、図３及び図４中の符号６７は後述する払出機構部３５２により払出された遊技球Ｂを内枠１２の前方に案内するための払出通路であり、上皿連通路７３（上皿１９）に通じる通路と、下皿連通路７１（下皿１５）に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、下皿連通路７１の入口側後端部によってシャッタ６８が押し開けられるようになっている。尚、下皿連通路７１及び上皿連通路７３の入口（球流入部）が隣接するとともに、前面枠セット１４の閉状態において当該各入口と払出通路６７とが所定距離だけ離間しており、両者間の隙間を遊技球Ｂが通過可能となっている。このため、上皿１９及び上皿連通路７３が遊技球Ｂで満杯となると、払出される遊技球Ｂが下皿連通路７１側に流れ（下皿連通路７１の入口側に溢れ）、下皿連通路７１を通って下皿１５に払出されることとなる。
【００５９】
加えて、球通路ユニット７０には、下皿連通路７１内に位置する遊技球Ｂを検知する満杯検知スイッチ（図示略）が設けられている。当該満杯検知スイッチの存在により、下皿１５が遊技球Ｂで満杯になっていること（下皿１５が遊技球Ｂで満杯となり、下皿連通路７１において遊技球Ｂが滞留していること）を把握することができる。本実施形態では、満杯検知スイッチによって所定時間継続して遊技球Ｂが検知されることに基づき、発射装置６０の打出しを禁止するといった制御が行われる。尚、下皿連通路７１における遊技球Ｂの滞留が解消され、満杯検知スイッチにより遊技球Ｂが検知されなくなると（所定時間継続して検知されなくなると）発射装置６０の打出しが許容される。
【００６０】
次に可変表示装置ユニット３５の構成について詳しく説明する。本実施形態では、図７に示すように、センターフレーム４７が遊技盤３０の前面側に固定され、フレームカバー２１３が遊技盤３０の裏面に固定されることによって、可変表示装置ユニット３５として一体化される構成となっている。
【００６１】
フレームカバー２１３には、図８，９に示すように、その中央部に矩形状の開口部２１３ａが形成されており、その背面側に液晶表示装置たる装飾図柄表示装置４２が着脱自在に取付けられる。
【００６２】
可変表示装置ユニット３５には、センターフレーム４７とフレームカバー２１３との間において、上部役物ユニット７６１及び下部役物ユニット７６２が配設されている。図１０に示すように、上部役物ユニット７６１は、フレームカバー２１３の上辺部前面側に取付けられ、下部役物ユニット７６２は、フレームカバー２１３の下辺部前面側に取付けられている。
【００６３】
図１１〜１３に示すように、センターフレーム４７は、その中央に略円形状の開口部７５１が形成された枠体形状をなし、当該開口部７５１を介して装飾図柄表示装置４２の液晶表示部４２ａが視認可能となる。
【００６４】
センターフレーム４７の開口部７５１の周囲には、その背面側から各種ＬＥＤ等を有したＬＥＤ制御基板７５２，７５３等が取着されている（図９参照）。
【００６５】
また、センターフレーム４７の背面側には、開口部７５１を覆うように透明な樹脂材料からなる保護部材としての保護パネル７５５が取着されている。
【００６６】
保護パネル７５５は、装飾図柄表示装置４２の液晶表示部４２ａの前面側を覆う矩形状で略平板状の画面保護部７５６と、下部役物ユニット７６２の前面側を覆う略平板状の役物保護部７５７とを備えている。液晶表示部４２ａが本実施形態における演出表示部（第１の演出表示部）を構成する。また、役物保護部７５７の背面側（段差部７５８の下方位置）にて下部役物ユニット７６２の可動部材７６２ａが上下動するといった演出の行われる演出領域７５４（図１１参照）が本実施形態における第２の演出表示部を構成する。
【００６７】
但し、両保護部７５６，７５７は、一体形成されたものであるが、平板状に連続しているものではなく、前後方向に段差を持って形成されている。役物保護部７５７の方が画面保護部７５６よりも前方に位置しており、両者の境界部には段差部７５８が形成されている。勿論、両保護部７５６，７５７及び段差部７５８が別体で形成される構成としてもよい。例えば、役物保護部７５７及び段差部７５８の部分が、画面保護部７５６とは別体で、センターフレーム４７の下辺部４７ｂの一部として設けられた構成、例えば後述のメインステージ部７７０と一体形成された構成としてもよい。
【００６８】
センターフレーム４７の上辺部４７ａは、下辺部４７ｂや左右辺部４７ｃ，４７ｄに比べ比較的幅広に形成されており、当該上辺部４７ａによって上部役物ユニット７６１が覆われる。上辺部４７ａは、左側より右側がやや大きく形成されており、当該右側部分において、上部役物ユニット７６１の駆動部材たる上下のシャッタ部材７６１ａ，７６１ｂを視認可能とする円形の窓部７６３が形成されている。
【００６９】
センターフレーム４７の左辺部４７ｃには、その内部に、遊技球Ｂを通過させる球通路（ワープ流路）７６４が形成されている（図１１等参照）。球通路７６４の入口部７６４ａは、センターフレーム４７の左辺部４７ｃの上下方向略中央部に開口し、出口部７６４ｂは、上記保護パネル７５５の段差部７５８のやや上方位置に開口している。この球通路７６４により、遊技盤３０面上を流下する遊技球Ｂをセンターフレーム４７の内側へ導入させることができる。
【００７０】
尚、センターフレーム４７は、単一部材から構成されているわけではなく、例えばベース部材に対し、メッキ等の施された各種装飾部材や、ＬＥＤ等の光を透過する透明樹脂製のレンズ部材などが組付けられてなる。
【００７１】
さて、センターフレーム４７の下辺部４７ｂの上面には、メインステージ部７７０が形成されている。メインステージ部７７０が本実施形態における主転動遊技領域（第２転動遊技領域）を構成する。ここで、メインステージ部７７０について主に図１４を参照して詳しく説明する。
【００７２】
メインステージ部７７０は、左右方向に並行して延びる２つの転動部７７１，７７２を備えている。手前側の前転動部７７１と、奥側の後転動部７７２との間には、若干の高低差のあり、左右方向の大部分において後転動部７７２の方が高くなっている。これにより、両転動部７７１，７７２の間には、段差状の境界部７７３が形成されている。
【００７３】
前後両転動部７７１，７７２には、左右方向に沿って緩やかな起伏が形成されている。より詳しくは、両転動部７７１，７７２の左右方向中央部には、それぞれ凸部７７１ａ，７７２ａが形成されており、その左右両側にはそれぞれ凹部７７１ｂ，７７２ｂが形成されている。但し、前転動部７７１の凸部７７１ａ及び左右両凹部７７１ｂや、後転動部７７２の凸部７７２ａ及び左右両凹部７７２ｂは、それぞれの境界部に段差等があるわけでなく、各転動部７７１，７７２はほぼ連続した起伏形状となっている。
【００７４】
後転動部７７２の凸部７７２ａの頂部には、上方に向け開口し、遊技球Ｂが落下可能な落下孔７７４が形成されている。また、前転動部７７１の凸部７７１ａの下方（内部）には、前記落下孔７７４に通じる連通路７７５が設けられている。連通路７７５の他方側は、センターフレーム４７の下辺部４７ｂの前側に開口し、落下孔７７４へ落下した遊技球Ｂを遊技盤３０面上へ排出するための排出口７７６となっている。なお、センターフレーム４７が遊技盤３０に配設された状態では、図４に示すように、排出口７７６は始動入賞ユニット３３（上入賞口３３ａ）の上方に位置する。これにより、落下孔７７４へ落下した遊技球Ｂが、比較的高い確率で始動入賞ユニット３３（上入賞口３３ａ）に入球するようになっている。
【００７５】
前転動部７７１の凸部７７１ａの頂部には、落下孔７７４の前方位置において、奥側へ扇状に広がりかつ緩やかに下り傾斜となった誘導溝７７８が形成されている。これに対応して、誘導溝７７８と落下孔７７４との間の境界部７７３には、遊技球Ｂが通過可能な左右幅を有する切欠き部７７９が形成されている。これにより、前転動部７７１の誘導溝７７８を介しても、落下孔７７４へ遊技球Ｂが落下可能な構成となっている。但し、誘導溝７７８の左右幅は、最も広い後端部でも遊技球Ｂの直径よりも小さくなっており、当該誘導溝７７８から落下孔７７４へは、比較的、遊技球Ｂが誘導されにくい構成となっている。
【００７６】
また、後転動部７７２の左右両凹部７７２ｂには、それぞれ前転動部７７１へ向けて遊技球Ｂを排出可能な排出凹部７７２ｄが形成されている。また、前転動部７７１の左右両凹部７７１ｂには、それぞれ遊技盤３０面上へ向けて遊技球Ｂを排出可能な排出凹部７７１ｄが形成されている。各排出凹部７７１ｄ，７７２ｄは、手前側ほど幅広で手前側へ向け緩やかな下り傾斜となっている。
【００７７】
後転動部７７２の前縁部（境界部７７３）には、後転動部７７２の凸部７７２ａ（落下孔７７４を除く）に対応する区間や、後転動部７７２の左右両排出凹部７７２ｄよりもステージ外方側にあたる左右両端部近傍において、遊技球Ｂが後転動部７７２から前転動部７７１へ落下してしまうのを防止するためのリブ７８１，７８２が上方に向け突設されている。
【００７８】
また、前転動部７７１の前縁部には、左右両排出凹部７７１ｄに対応する区間を除く区間において、遊技球Ｂが遊技盤３０面上へ落下してしまうのを防止するためのリブ７７７が上方に向け突設されている。
【００７９】
一方、後転動部７７２の奥側は、保護パネル７５５の役物保護部７５７に当接しており、当該役物保護部７５７により遊技球Ｂの奥側への動きが規制される。
【００８０】
なお、メインステージ部７７０の右側においては、前転動部７７１の右端部よりも、後転動部７７２の方がさらに右方へ延出した構成となっている。
【００８１】
本実施形態では、メインステージ部７７０左側の上方位置には左上ステージ部７８３が設けられ、右側の上方位置には右上ステージ部７８４が設けられている。これにより、本実施形態は、上下方向に離間した複層の転動遊技領域を備えた構成となる。
【００８２】
但し、左上ステージ部７８３と右上ステージ部７８４とは左右方向に離間している。つまり、左右両上ステージ部７８３，７８４からなる上層の転動遊技領域は、その中央部に離間部を有した構成となっている。これにより、メインステージ部７７０の視認性や、その奥壁部にあたる保護パネル７５５の役物保護部７５７（下部役物ユニット７６２の可動部材７６２ａに係る演出領域７５４）の視認性が向上する。左右両上ステージ部７８３，７８４は本実施形態における副転動遊技領域（第１転動遊技領域）を構成する。
【００８３】
左上ステージ部７８３の転動面は、左右方向に対し、下方へ凸となるように略円弧状に湾曲している。左上ステージ部７８３もメインステージ部７７０同様、保護パネル７５５の役物保護部７５７に当接しており、当該役物保護部７５７により遊技球Ｂの奥側への動きが規制される。
【００８４】
但し、図１５に示すように、左上ステージ部７８３の前後幅は、メインステージ部７７０よりも短く、その半分程度、つまり後転動部７７２の前後幅とほぼ同程度（遊技球１つ分程度）の幅しか有していない。
【００８５】
左上ステージ部７８３の左右方向略中央部には、遊技球Ｂをメインステージ部７７０（前転動部７７１）へ向けて排出可能な排出凹部７８３ａが形成されている。排出凹部７８３ａは、手前側ほど幅広で手前側へ向け緩やかな下り傾斜となっている。
【００８６】
左上ステージ部７８３の手前側には、排出凹部７８３ａに対応する区間を除いて、遊技球Ｂが落下してしまうのを防止するためのリブ７８５が形成されている。
【００８７】
左上ステージ部７８３の左端部は、球通路７６４の出口部７６４ｂにまで達し、右端部は、保護パネル７５５の段差部７５８の高さ位置にまで達している。左上ステージ部７８３の転動面のうち少なくとも排出凹部７８３ａよりも右側部分は、奥側に向けても下り傾斜となっており、ここを転動する遊技球Ｂが役物保護部７５７側に寄せられるように構成されている。
【００８８】
上記構成により、球通路７６４の出口部７６４ｂから勢いをつけて排出された遊技球Ｂは、左上ステージ部７８３を左から右へ転動し、保護パネル７５５の段差部７５８に乗り上げることとなる。
【００８９】
保護パネル７５５の段差部７５８は、遊技球Ｂが左右方向へ転動可能な前後幅を有しており、遊技球Ｂを左上ステージ部７８３から右上ステージ部７８４へ導く案内手段の機能を有している。すなわち転動遊技領域の一部を構成している。
【００９０】
段差部７５８は、左右方向中央部に三角凸部７９１を備えている。三角凸部７９１は、左右方向中央部を境に左右両側へ下り傾斜となった一対の傾斜面７９１ａを備えるとともに、その手前側にはリブ７９１ｂを備えている。当該リブ７９１ｂにより遊技球Ｂの前方への動きが規制される。一方、奥側においては、画面保護部７５６により遊技球Ｂの奥方への動きが規制される。
【００９１】
上記構成の下、三角凸部７９１は、その傾斜面７９１ａによって、遊技球Ｂを段差部７５８中央から遠ざける機能を有するとともに、そのリブ７９１ｂによって、当該リブ７９１ｂの形成区間から遊技球Ｂを手前側に落下させない機能を有している。つまり、三角凸部７９１は、下部役物ユニット７６２の可動部材７６２ａに係る演出領域７５４の前を遊技球Ｂが通過するように落下するのを規制する規制手段を構成している。これにより、段差部７５８から落下する遊技球Ｂによって演出領域７５４の視認性が低下するといった不具合を極力抑えることができる。
【００９２】
三角凸部７９１の左右両側に位置する段差部７５８の一般部は、左右方向に沿って略水平に延設されるとともに、遊技球Ｂを停留させないように緩やかな前下がりの傾斜面となっている。
【００９３】
右上ステージ部７８４は、センターフレーム４７の右辺部４７ｄに隣接するように、段差部７５８の右端部及びその近傍に対応する区間の手前側に設けられている。
【００９４】
右上ステージ部７８４は、左右方向に並行して配される２つの振分部７９５，７９６を備えている。手前側の前振分部７９５と、奥側の後振分部７９６との間には、若干の高低差のあり、前振分部７９５の方が高くなっている。
【００９５】
右上ステージ部７８４の前後幅は比較的幅広に形成されており、メインステージ部７７０の前端部（遊技盤３０面）よりも、ほぼ遊技球１つ分程度、前方に突出している。
【００９６】
前振分部７９５には、左右２箇所に排出凹部７９７，７９８が設けられている。排出凹部７９７，７９８は、遊技球Ｂを後振分部７９６へ向けて排出可能なように、奥側ほど幅広で奥側へ向け緩やかな下り傾斜となっている。
【００９７】
前振分部７９５の左端部は、そこから遊技球Ｂが落下しないように曲率の大きな湾曲部７９９となっている。また、前振分部７９５の右端部は連通部７８０に通じている。
【００９８】
連通部７８０は、後振分部７９６の右側に設けられ、段差部７５８の右端部から前振分部７９５へ遊技球Ｂを導入するためのものである。連通部７８０は、奥側から手前にかけて緩やかな下り傾斜となっている。また、連通部７８０も後振分部７９６よりも高い位置に設けられている。これに合わせて、段差部７５８の右端部には、当該段差部７５８から連通部７８０へ円滑に遊技球Ｂを誘導するために、略円弧状に湾曲した誘導壁７９２が設けられている。
【００９９】
また、誘導壁７９２に連続するように、連通部７８０の外周側には、側壁部７８０ａが形成されている。当該側壁部７８０ａは、手前側に向かうにつれ左方へ円弧状に湾曲しており、前振分部７９５の手前側に設けられたリブ８００に連続している。
【０１００】
右上ステージ部７８４の後振分部７９６には、左右２箇所に遊技球Ｂが落下可能な落下孔８０１，８０２が設けられている。
【０１０１】
左側の落下孔８０１は、左右方向に対して、前振分部７９５の左側の排出凹部７９７の形成位置よりもやや右寄りに形成されている。左側の落下孔８０１には、連通路８０３が連続形成されている。当該連通路８０３は下方で手前側に向け湾曲し、メインステージ部７７０の前転動部７７１の右端部位置に遊技球Ｂを排出するように形成されている。
【０１０２】
一方、右側の落下孔８０２は、左右方向に対して、前振分部７９５の右側の排出凹部７９８よりも右方に形成されており、連通部７８０との境界部に隣接するように開口している。この位置は、メインステージ部７７０の後転動部７７２の右端部の直上方に位置しており、当該落下孔８０２へ落下した遊技球Ｂはメインステージ部７７０の後転動部７７２へ排出される。
【０１０３】
後振分部７９６の転動面には、左右方向に対して、前振分部７９５の右側の排出凹部７９８に対応する位置において凸部８０５が形成されている。凸部８０５はその頂部より左右方向へそれぞれ下り傾斜の傾斜面８０５ａ，８０５ｂを有している。左側の傾斜面８０５ａは左側の落下孔８０１まで達しており、右側の傾斜面８０５ｂは右側の落下孔８０２まで達している。
【０１０４】
また、左側の落下孔８０１よりも左側の転動面は、後振分部７９６の左端部から左側の落下孔８０１にかけて下り傾斜となっている。
【０１０５】
このような後振分部７９６には、左端部を除き、周囲との段差により周壁部８０７が形成されている。また、後振分部７９６の周囲には、前振分部７９５の排出凹部７９７，７９８に対応する区間を除いて、周壁部８０７に沿って上方へ突出したリブ８１０が設けられている。当該リブ８１０は、主として、保護パネル７５５の段差部７５８や、前振分部７９５、連通部７８０等の周囲から後振分部７９６へ遊技球Ｂが落下するのを防止する機能を有している。
【０１０６】
加えて、リブ８１０のうち、保護パネル７５５の段差部７５８（役物保護部７５７）と並設された奥側部分（図１５の並設区間Ｗ参照）においては、保護パネル７５５の段差部７５８を転動する遊技球Ｂを連通部７８０へ誘導する機能を有している。
【０１０７】
リブ８１０の奥側部分は、保護パネル７５５の段差部７５８の前端縁部７５８ａ（役物保護部７５７）から離間しており、その離間幅は遊技球Ｂの直径よりも狭い。勿論、保護パネル７５５の段差部７５８の前後幅によっては、リブ８１０を離間させる必要もなく、リブ８１０が段差部７５８の前端縁部７５８ａに当接した構成としてもよい。
【０１０８】
図１６（ａ）に示すように、リブ８１０の奥側部分は、段差部７５８との並設区間Ｗにおける大部分において、その上縁部８１０ａが段差部７５８の前端縁部７５８ａよりも上方に突出している。また、リブ８１０の奥側部分の上縁部８１０ａは右下がりに傾斜している。図１６（ｂ）に示すように、段差部７５８の前端縁部７５８ａから上縁部８１０ａまでのリブ８１０の突出長Ｘは、最も高い左端部においても、その突出長Ｘが遊技球Ｂの半径を超えない高さに設定されている。
【０１０９】
上記構成の下、遊技球Ｂが段差部７５８の右端部近傍（段差部７５８とリブ８１０の並設区間Ｗ）を転動する際には、段差部７５８の前下がり傾斜によって遊技球Ｂがリブ８１０側に寄り、段差部７５８及びリブ８１０の上縁部８１０ａによって２点支持された状態で右方向へ転動する。ここでは、仮に停止しそうなほど比較的勢いのない遊技球Ｂであっても、段差部７５８の前下がり傾斜とリブ８１０の右下がり傾斜により、遊技球Ｂは自重により、右方向へ転動していくことができる。保護パネル７５５の段差部７５８の右側の一般部が本実施形態における第１の案内部に相当し、リブ８１０の奥側部分が第２の案内部に相当する。
【０１１０】
また、連通部７８０が設けられた位置においては、段差部７５８の前端縁部７５８ａと、リブ８１０の上縁部８１０ａとの高さ関係が逆転しているため、比較的勢いのない遊技球Ｂが当該部位まで転動してきた際には、その自重により右上ステージ部７８４の連通部７８０へと誘導されていくこととなる。
【０１１１】
次に、上記のように構成されてなるセンターフレーム４７の作用について説明する。
【０１１２】
遊技盤３０面上の遊技領域に打ち込まれ、当該遊技領域を流下する遊技球Ｂは、センターフレーム４７の左辺部４７ｃの入口部７６４ａから球通路７６４を介してセンターフレーム４７の内側へ導入される場合がある。
【０１１３】
球通路７６４の出口部７６４ｂから排出された遊技球Ｂは、左上ステージ部７８３を左から右へ転動し、保護パネル７５５の段差部７５８へ案内される。この際、比較的勢いのない遊技球Ｂは、段差部７５８まで達せず、逆戻りして、左上ステージ部７８３上を左右に揺動した後、排出凹部７８３ａからメインステージ部７７０の前転動部７７１上へと排出される。
【０１１４】
段差部７５８まで誘導された遊技球Ｂは、その勢いを保ちつつ、液晶表示部４２ａの前を横切りながら、段差部７５８の左側の一般部を通過して三角凸部７９１の傾斜面７９１ａを上っていく。この際、比較的勢いがなく、三角凸部７９１の頂部を上りきらなかった遊技球Ｂは、逆戻りするとともに、段差部７５８の一般部の前下がりの傾斜によって、左上ステージ部７８３を介して、又は、三角凸部７９１と左上ステージ部７８３との間の隙間からメインステージ部７７０上へ落下する。
【０１１５】
三角凸部７９１の頂部を越えた遊技球Ｂは、傾斜面７９１ａの下り傾斜によって加速され、段差部７５８の右側の一般部へ転動する。ほとんどの場合、遊技球Ｂは加速されているため、右上ステージ部７８４のリブ８１０の並設区間Ｗに達するが、場合によっては、リブ８１０と三角凸部７９１との隙間からメインステージ部７７０上へ落下することもある。
【０１１６】
遊技球Ｂがリブ８１０の並設区間Ｗに達すると、上述したように、段差部７５８の前下がり傾斜によって遊技球Ｂがリブ８１０側に寄り、段差部７５８及びリブ８１０の上縁部８１０ａによって２点支持された状態で右方向へ転動する。
【０１１７】
遊技球Ｂが連通部７８０のある位置にまで達すると、段差部７５８の前端縁部７５８ａと、リブ８１０の上縁部８１０ａとの高さ関係の逆転により、遊技球Ｂはその自重により段差部７５８から右上ステージ部７８４の連通部７８０へと進行方向を変えていく。ここで、比較的勢いのある遊技球Ｂに関しては、段差部７５８の右端部に設けられた誘導壁７９２に沿って、連通部７８０へ誘導されていく。
【０１１８】
遊技球Ｂが連通部７８０に入ると、その傾斜により手前側に転動し、右上ステージ部７８４の前振分部７９５へ案内されるとともに、側壁部７８０ａの湾曲形状により、その進行方向を左向きに変える。
【０１１９】
前振分部７９５へ案内された遊技球Ｂは、ここで左右に揺動する等した後、左右いずれかの排出凹部７９７，７９８に沿って、後振分部７９６へ案内される。
【０１２０】
ここで、左側の排出凹部７９７によって後振分部７９６へ案内されたほぼ全ての遊技球Ｂは、後振分部７９６左側の転動面の傾斜によって、左側の落下孔８０１へ案内される。
【０１２１】
一方、右側の排出凹部７９８によって後振分部７９６へ案内された遊技球Ｂは、凸部８０５によって、さらに左右に振り分けられる。左方へ振られた遊技球Ｂは凸部８０５の左側の傾斜面８０５ａに沿って左側の落下孔８０１へ案内され、右方へ振られた遊技球Ｂは凸部８０５の右側の傾斜面８０５ｂに沿って右側の落下孔８０２へ案内される。
【０１２２】
左側の落下孔８０１へ落下した遊技球Ｂは、連通路８０３を介して、メインステージ部７７０の前転動部７７１の右端部位置に案内される。前転動部７７１上に落下した遊技球Ｂは、当該落下した箇所の転動面の傾斜によって中央部（誘導溝７７８）側へ転動していく。そして、凸部７７１ａ及び左右両凹部７７１ｂを左右に揺動する。このうち、誘導溝７７８に乗った遊技球Ｂは、後転動部７７２の落下孔７７４へ導かれる。その他の遊技球Ｂは、やがて左右いずれかの排出凹部７７１ｄから遊技盤３０面上へ排出される。
【０１２３】
一方、右側の落下孔８０２へ落下した遊技球Ｂは、メインステージ部７７０の後転動部７７２の右端部位置に案内される。後転動部７７２上に落下した遊技球Ｂは、当該落下した箇所の転動面の傾斜によって、中央部（落下孔７７４）側に向かって転動していく。そのうち、凹部７７２ｂを通過し、凸部７７２ａを上りきった遊技球Ｂは、落下孔７７４に落下する。凸部７７２ａを上りきらない遊技球Ｂは、排出凹部７７２ｄを介して前転動部７７１へ、ひいては遊技盤３０面上へ排出される。
【０１２４】
落下孔７７４へ落下した遊技球Ｂは、連通路７７５を介して遊技盤３０面上へ案内される。排出口７７６から排出された遊技球Ｂは比較的高い確率で始動入賞ユニット３３（上入賞口３３ａ）に入球する。
【０１２５】
従って、遊技盤３０面上の遊技領域から導入される遊技球Ｂをメインステージ部７７０へと案内する球通路７６４、左上ステージ部７８３、保護パネル７５５の段差部７５８、右上ステージ部７８４等からなる案内経路のうち、保護パネル７５５の段差部７５８が本実施形態における案内手段を構成することとなる。
【０１２６】
また、遊技盤３０面上を流下する一部の遊技球Ｂは、センターフレーム４７の球通路７６４を介さずとも、遊技盤３０上に植設されている釘によってジャンプする等してメインステージ部７７０上へと案内される場合もある。そのうち勢いのある遊技球Ｂは、前転動部７７１に沿って転動し、誘導溝７７８を介して、後転動部７７２の落下孔７７４へ導かれることもある。
【０１２７】
本実施形態では、発射装置６０から発射された遊技球Ｂを遊技盤３０上部へ案内するレール５０に近い側である左側にある左上ステージ部７８３が、メインステージ部７７０よりも奥まった位置に設けられているため、当該メインステージ部７７０の上方空間が比較的開けた状態となっている。このため、遊技球Ｂがジャンプする等して当該左側からメインステージ部７７０上へと案内されやすくなっている。
【０１２８】
さらに、本実施形態では、左上ステージ部７８３を奥側へ控えた分、右上ステージ部７８４の前後幅を比較的幅広に形成し、遊技球Ｂの転動遊技領域を十分に確保している。これにより、転動遊技領域を極力減らすことなく、転動遊技領域へ案内される遊技球Ｂの数を増やすことができる。結果として、さらなる興趣の向上を図ることができる。
【０１２９】
加えて、右上ステージ部７８４では、遊技者に対して、より近い位置で遊技球Ｂの転動を視認させることができるため、ここで遊技球Ｂの振分け演出が行われることにより、さらなる興趣の向上を図ることができる。
【０１３０】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球Ｂを供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【０１３１】
まず、遊技盤３０の背面構成について説明する。図６に示すように、遊技盤３０中央の貫通孔に対応して配設された可変表示装置ユニット３５（図４参照）の背面側には、上述したように、センターフレーム４７を背後から覆う樹脂製のフレームカバー２１３が後方に突出して設けられている。そして、このフレームカバー２１３の背面側に液晶表示装置たる装飾図柄表示装置４２が着脱自在に取付けられている。本実施形態における装飾図柄表示装置４２は、表示制御装置４５と一体化（ユニット化）されており、液晶表示部（液晶パネル）４２ａと表示制御装置４５とが前後に重ね合わされ収容ボックス４５ａに収容された状態となっている。
【０１３２】
装飾図柄表示装置４２（収容ボックス４５ａ）の背面側には、サブ制御装置２６２が基板ボックス２６２ａに収容された状態で取付けられている。また、収容ボックス４５ａ及び基板ボックス２６２ａは透明樹脂材料等により構成され、内部が視認可能となっている。
【０１３３】
フレームカバー２１３の下方には裏枠セット２１５が、一般入賞口３１、可変入賞装置３２及び始動入賞ユニット３３等を背後から覆うようにして遊技盤３０に取付けられている。裏枠セット２１５は、各種入賞口に入賞した遊技球Ｂを回収するための球回収機構を備えている（図示略）。この球回収機構により回収された遊技球Ｂは、後述する排出通路部２１７に案内され、排出通路部２１７の排出シュートからパチンコ機１０外部に排出される。
【０１３４】
また、本実施形態では、裏枠セット２１５が主制御装置２６１の取付台として機能する。より詳しくは、主制御装置２６１を搭載した基板ボックス２６３が、裏枠セット２１５に対し回動可能に軸支され、後方に開放可能となっている。
【０１３５】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【０１３６】
また、遊技盤３０には、入球手段としての一般入賞口３１等の各種入賞口に対応して、当該各種入賞口へ入球した遊技球Ｂを検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、始動入賞ユニット３３には、上入賞口３３ａ及び下入賞口３３ｂそれぞれに対応して第１始動入賞スイッチ２２４ａ（第１条件成立検出手段）、第２始動入賞スイッチ２２４ｂ（第２条件成立検出手段）が設けられている。さらに、スルーゲート３４に対応する位置にはスルーゲートスイッチ２２５が設けられている。
【０１３７】
また、図示は省略するが、裏枠セット２１５には、入賞口スイッチ２２１、カウントスイッチ２２３及びスルーゲートスイッチ２２５とケーブルコネクタを介して電気的に接続される第１盤面中継基板が設けられている。この第１盤面中継基板は、入賞口スイッチ２２１等と、主制御装置２６１とを中継するものであり、ケーブルコネクタを介して主制御装置２６１と電気的に接続されている。
【０１３８】
これに対し、始動入賞ユニット３３（上入賞口３３ａ又は下入賞口３３ｂ）への入球を検出する始動入賞スイッチ２２４ａ，２２４ｂは中継基板を経ることなくコネクタケーブルを介して直接主制御装置２６１に接続されている。
【０１３９】
各種入球検出スイッチにて各々検出された検出結果は、主制御装置２６１に取り込まれる。そして、該主制御装置２６１よりその都度の入賞状況に応じた払出指令（遊技球Ｂの払出個数）が払出制御装置３１１に送信され、該払出制御装置３１１からの出力信号に基づき所定数の遊技球Ｂの払出しが実施される（スルーゲートスイッチ２２５により検出された場合を除く。）
この他、遊技盤３０の裏面には、図示は省略するが、可変入賞装置３２にて大入賞口を開放する大入賞口用ソレノイドが設けられ、始動入賞ユニット３３にて一対の開閉部材３３ｃを開閉駆動する入賞口用ソレノイドが設けられている。また、裏枠セット２１５には、これらソレノイドと主制御装置２６１とを中継する第２盤面中継基板（図示略）も設けられている。
【０１４０】
次に、裏パックユニット２０３の構成を説明する。図５に示すように、裏パックユニット２０３は、樹脂成形された裏パック３５１と、遊技球Ｂの払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部中継端子板２４０が設けられている。
【０１４１】
外部中継端子板２４０は、遊技ホールのホールコンピュータなどへの各種情報送信を中継するためのものであり、複数の外部接続端子が設けられている。便宜上、符号は付さないが、例えば現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【０１４２】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板ボックス２６３の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【０１４３】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球Ｂが逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球Ｂの払出が適宜行われる。そして、払出装置３５８より払出された遊技球Ｂは上皿１９等に供給される。
【０１４４】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１４５】
裏パックユニット２０３（基板ボックス２６３）の下方には、内枠１２の左側部（図５では右側）にて軸支され、後方に開放可能な下枠セット２５１が設けられている。図６に示すように、下枠セット２５１には、上述した球回収機構により回収された遊技球Ｂが流入する排出通路部２１７が形成され、排出通路部２１７の最下流部には、遊技球Ｂをパチンコ機１０外部へ排出する排出シュート（図示略）が形成されている。つまり、一般入賞口３１等の各入賞口に入賞した遊技球Ｂは、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球Ｂも排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【０１４６】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【０１４７】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【０１４８】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印部材が設けられ、基板ボックス３１１ａの開封された痕跡が残るようになっている。
【０１４９】
加えて、カードユニット接続基板３１４は、基板ボックス３１４ａに収容されて、基板ボックス３１３ａ（発射制御装置３１２及び電源装置３１３）の背面側に固定されている。
【０１５０】
なお、上記各基板ボックス３１１ａ，３１３ａ，３１４ａは透明樹脂材料等により構成されており、内部が視認可能となっている。
【０１５１】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【０１５２】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【０１５３】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【０１５４】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【０１５５】
また、図４に示すように、内枠１２の前面側右下部（発射装置６０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【０１５６】
次に、パチンコ機１０の電気的構成について説明する。図１７は、本パチンコ機１０の電気的構成を示すブロック図である。主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１５７】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１５８】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１５９】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１６０】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１６１】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、第１及び第２特別表示装置４３Ｌ、４３Ｒ、普通図柄表示装置４１等が接続されている。この構成により、上述した特別表示装置４３Ｌ、４３Ｒ、及び普通図柄表示装置４１は、主制御装置２６１により直接的に制御される。一方、装飾図柄表示装置４２は、サブ制御装置２６２を介して制御される。
【０１６２】
その他、便宜上、各種中継基板等の図示は省略するが、入出力ポート５０５には、入賞口スイッチ２２１、カウントスイッチ２２３、始動入賞ユニットスイッチ２２４ａ，２２４ｂ、スルーゲートスイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１６３】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１６４】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、演出ボタン１２５、上部役物ユニット７６１、下部役物ユニット７６２、各種電飾部及びランプ１０２〜１０４が接続されている。
【０１６５】
サブ制御装置２６２のＣＰＵ５５１は、例えば主制御装置２６１から送信されるコマンド（例えば変動パターンコマンド）に基づいて表示制御装置４５に表示制御を実行させ、装飾図柄表示装置４２に表示させる。なお、上記のように、本実施形態では、主制御装置２６１が制御する第１及び第２特別表示装置４３Ｌ、４３Ｒにて大当たりか否かを表示するようになっており、サブ制御装置２６２が制御する装飾図柄表示装置４２では、前記特別表示装置４３Ｌ、４３Ｒの表示に合わせた表示が行われる。
【０１６６】
また、サブ制御装置２６２は、上部役物ユニット７６１や下部役物ユニット７６２の駆動制御を行う。例えば、下部役物ユニット７６２に関しては、始動入賞ユニット３３への遊技球Ｂの入賞や、所定の演出条件の成立に応じて演出ボタン１２５を押圧操作すること等を契機として、通常時、下方位置に待機している可動部材７６２ａが上方位置にスライド変位して、演出領域７５４に現われるといった演出が行われる。
【０１６７】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１６８】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１６９】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１７０】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１７１】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１７２】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１７３】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１７４】
コマンドバッファは、主制御装置２６１から送信されるコマンドを一時的に記憶するリングバッファで構成されている。
【０１７５】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１７６】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球Ｂが直接貸し出される現金機では、カードユニット接続基板３１４を省略することも可能である。
【０１７７】
発射制御装置３１２は、発射装置６０による遊技球Ｂの発射を許可又は禁止するものであり、発射装置６０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置６０が駆動され、ハンドル１８の操作量に応じた強度で遊技球Ｂが発射される。
【０１７８】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１７９】
表示制御装置４５のＣＰＵ５２１は、サブ制御装置２６２から送信される表示コマンドを、入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１８０】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１８１】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１８２】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１８３】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１８４】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１８５】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１８６】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１８７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１８８】
以上詳述したように、本実施形態によれば、例えば液晶表示部４２ａにて行われる演出に遊技者が注目していたとしても、遊技球Ｂがその前を横切ってメインステージ部７７０へ案内されるため、遊技者がメインステージ部７７０へ向かう遊技球Ｂに気付きやすくなる。結果として、センターフレーム４７内における遊技球Ｂの視認性を高め、興趣の飛躍的な向上を図ることができる。
【０１８９】
また、本実施形態では、メインステージ部７７０の上方位置に、左右両上ステージ部７８３，７８４を備えることにより、上下２層の転動遊技領域を備えた構成となっている。これにより、センターフレーム４７内といった限られたスペースにおいて、遊技球Ｂが転動できるスペースを拡張することができる。さらには、遊技球Ｂの転動態様をも多様化することができ、さらなる興趣の向上を図ることができる。
【０１９０】
本実施形態では、左右両上ステージ部７８３，７８４を左右方向に離間させているため、メインステージ部７７０の上における遊技球Ｂの視認性が向上する。加えて、メインステージ部７７０と左右両上ステージ部７８３，７８４との間の奥壁部分（役物保護部７５７）が視認しやすくなる。本実施形態では、さらに、そこに第１の演出表示部である液晶表示部４２ａとは異なる第２の演出表示部、すなわち下部役物ユニット７６２の可動部材７６２ａに係る演出領域７５４が設けられている。その結果、センターフレーム４７内といった限られたスペースで、遊技者の視認可能な転動遊技領域や演出表示部を増やすことができる。これにより、さらなる興趣の向上を図ることができる。
【０１９１】
また、下部役物ユニット７６２の可動部材７６２ａに係る演出領域７５４が、遊技球Ｂの転動する部位に囲まれた構成となるため、演出領域７５４に対し遊技者の注意をより引きつけることができ、演出領域７５４における演出効果を高めることができる。
【０１９２】
さらに、第１の演出表示部である液晶表示部４２ａと、第２の演出表示部である演出領域７５４との間を遊技球Ｂが転動することとなるため、遊技球Ｂの視認性をさらに高めることができる。
【０１９３】
かかる構成において、本実施形態では、保護パネル７５５の画面保護部７５６と役物保護部７５７との間の段差部７５８を遊技球Ｂの案内手段として利用している。これにより、保護パネル７５５を有効活用し、部品点数の増加を抑制することができる。
【０１９４】
ここで、段差部７５８の一般部は、左右方向に沿って略水平に延設されるとともに、遊技球Ｂを停留させないように緩やかな前下がりの傾斜面となっている。また、これに並設されるリブ８１０の奥側部分の上縁部８１０ａは右下がりに傾斜している。このような構成の下、遊技球Ｂが段差部７５８の右端部近傍（段差部７５８とリブ８１０の並設区間Ｗ）を転動する際には、段差部７５８の前下がり傾斜によって遊技球Ｂがリブ８１０側に寄り、段差部７５８及びリブ８１０の上縁部８１０ａによって２点支持された状態で右方向へ転動する。これにより、比較的勢いのない遊技球Ｂであっても、段差部７５８の前下がり傾斜とリブ８１０の右下がり傾斜により、遊技球Ｂは自重により、右方向へ転動していくことができる。結果として、遊技球Ｂをより確実に所定箇所へ誘導することができる。さらに、液晶表示部４２ａの前において遊技球Ｂを停留させないようにして、液晶表示部４２ａの視認性が低下するのを抑制している。
【０１９５】
なお、上述した実施形態の記載内容に限定されず、例えば次のように実施してもよい。
【０１９６】
（ａ）案内経路及び案内手段の構成は上記実施形態に限定されるものではない。
【０１９７】
例えば、案内経路に関して、球通路７６４の入口部７６４ａがセンターフレーム４７の上辺部４７ａに設けられた構成としてもよい。
【０１９８】
また、案内手段に関して、上記実施形態では、遊技球Ｂが液晶表示部４２ａの下辺部に沿って、保護パネル７５５の段差部７５８を左から右へ転動していく構成となっているが、これに限らず、例えば液晶表示部４２ａ（画面保護部７５６）の前を筒状の案内手段を介して左上部から右下部へ斜めに横切って通過する構成としてもよい。
【０１９９】
また、遊技球Ｂが自重により転動していく構成は、上記実施形態における前下がり傾斜の段差部７５８と右下がり傾斜のリブ８１０とのよる２点支持によるものに限らず、例えば、左右方向へ延びる二本の案内レールを前後に並設し、当該両案内レールの前後間隔を左右方向一方側から他方側へ徐変させることにより、当該両案内レールに挟まれるように遊技球Ｂが２点支持された状態で自重により転動していく構成としてもよい。
【０２００】
また、左上ステージ部７８３から右上ステージ部７８４へ遊技球Ｂを案内する案内手段を省略した構成としてもよい。
【０２０１】
（ｂ）メインステージ部７７０及び左右両上ステージ部７８３，７８４の構成は上記実施形態に限定されるものではない。例えば、上記実施形態では、メインステージ部７７０が２つの転動部７７１，７７２により構成されているが、１つの転動部のみが設けられた構成としてもよい。
【０２０２】
（ｃ）上記実施形態では、演出表示部（第１の演出表示部）に係る表示手段として、液晶表示装置である装飾図柄表示装置４２を採用しているが、これに限らず、ドットマトリックスなど他の表示装置を採用してもよい。
【０２０３】
（ｄ）上記実施形態では、第２の演出表示部が、下部役物ユニット７６２の可動部材７６２ａに係る演出領域７５４として設定されているが、これに限らず、第２の演出表示部に液晶表示装置等を配置する構成を採用してもよい。また、１つの液晶表示部を保護パネル７５５の段差部７５８によって仕切ることにより、第１及び第２の演出表示部が形成される構成としてもよい。
【０２０４】
（ｅ）上記実施形態とは異なるタイプのパチンコ機として実施してもよい。また、パチンコ機以外にも、アレンジボール機、それに類する雀球等の各種遊技機などとして実施してもよい。
【０２０５】
（ｆ）上記実施形態では、メインステージ部７７０等の転動遊技領域が、装飾図柄表示装置４２を囲むセンターフレーム４７に設けられている。これに限らず、転動遊技領域が、フレームカバー２１３等、センターフレーム４７とは異なる部位に設けられた構成としてもよい。かかる場合、センターフレーム４７等の枠部材を省略した構成としてもよい。例えば、装飾図柄表示装置４２の嵌め込まれた遊技盤３０等のベース部材の前面側略全域が透明パネル等により覆われ、当該透明パネルの前面側が遊技球の流下する遊技領域となる構成においては、センターフレーム４７等の枠部材を省略した構成とすることも考えられる。この場合、ベース部材や透明パネル等を含む全体を本願の演出装置として捉えることができる。なお、センターフレーム４７を省略する上記構成においては、表示部の視認性の向上を図るため、例えば、透明パネルにおける装飾図柄表示装置４２の上方位置にのみ対応して、その表示部前方への遊技球の流下を防ぐ笠状部材等を設けた構成を採用できる。
【０２０６】
以下、特許請求の範囲の請求項に記載されないものであって、上記実施形態から把握できる技術的思想について、その効果とともに記載する。
【０２０７】
手段１．発射装置により発射された遊技球が案内される遊技領域を有した遊技盤に、所定の演出表示部を有した演出装置を備えるとともに、当該演出装置の下方に所定の入球手段を備え、
前記入球手段に遊技球が入球することに基づいて、所定条件が成立した場合には特別遊技状態を付与する遊技機であって、
前記演出装置は、
前記演出表示部よりも下方位置にて遊技球の転動を許容する第１転動遊技領域と、当該第１転動遊技領域よりも下方位置にて遊技球の転動を許容する第２転動遊技領域とを備えることによって、上下方向に離間した上下２層の転動遊技領域を備えるとともに、
前記第１転動遊技領域には、少なくとも一部が左右方向に離間した離間部が形成され、
前記離間部の後方位置にあたる前記第１及び第２転動遊技領域間の奥壁部において第２の演出表示部を設けたことを特徴とする遊技機。
【０２０８】
上記手段１によれば、上層の第１転動遊技領域に離間部を設けることにより、下層の第２転動遊技領域の上方が開放され、下層の第２転動遊技領域における遊技球の視認性が向上する。さらに、上下両ステージ間の奥壁部分において、第２の演出表示部を設けている。その結果、演出装置内の限られたスペースで、遊技者の視認可能な転動遊技領域や演出表示部を増やすことができる。これにより、興趣の飛躍的な向上を図ることができる。
【０２０９】
手段２．前記第１転動遊技領域における左右方向に離間した２つの転動遊技領域の左右方向一方側から他方側へ遊技球を案内する案内手段を、前記第２の演出表示部の上方位置に備えたことを特徴とする手段１に記載の遊技機。
【０２１０】
上記手段２によれば、第２の演出表示部が遊技球の転動する部位に囲まれた構成となるため、第２の演出表示部に対し遊技者の注意をより引きつけることができ、第２の演出表示部における演出効果を高めることができる。
【０２１１】
手段３．前記第２の演出表示部の前側を覆う保護部材に前記案内手段を設けたことを特徴とする手段２に記載の遊技機。
【０２１２】
上記手段３によれば、保護部材を有効活用し、部品点数の増加を抑制することができる。
【０２１３】
手段４．前記案内手段は、遊技球が前記第２の演出表示部の前を通過するように落下するのを規制する規制手段を備えていることを特徴とする手段２又は３に記載の遊技機。
【０２１４】
上記手段４によれば、案内手段から落下する遊技球によって第２の演出表示部の視認性が低下するといった不具合を極力抑えることができる。
【０２１５】
手段５．前記第１転動遊技領域における左右方向に離間した２つの転動遊技領域のうち、左右方向一方側の前端部が前記第２転動遊技領域の前端部よりも後方に位置し、左右方向他方側の前端部が前記第２転動遊技領域の前端部よりも前方へ位置していることを特徴とする手段１乃至４のいずれかに記載の遊技機。
【０２１６】
上記手段５によれば、左右方向一方側においては、第２転動遊技領域の上方空間が比較的開けた状態となるため、遊技盤面上から遊技球が釘等によりジャンプして当該箇所から第２転動遊技領域上へと案内されやすくなる。また、左右方向一方側で第１転動遊技領域転動領域が減少した分、左右方向他方側においては、第１転動遊技領域を第２転動遊技領域よりも前方へ突出させることにより、遊技球の転動領域を増やしている。結果として、転動遊技領域を極力減らすことなく、転動遊技領域へ案内される遊技球の数を増やすことができる。結果として、さらなる興趣の向上を図ることができる。さらに、第２転動遊技領域よりも前方へ突出した左右方向他方側の第１転動遊技領域では、遊技者に対して、より近い位置で遊技球の転動を視認させることができるため、例えばここで遊技球の振分け等の演出が行われる構成とすれば、さらなる興趣の向上を図ることができる。
【０２１７】
以下に、上記各手段が適用される各種遊技機の基本構成を示す。
【０２１８】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された入球手段（一般入賞口、可変入賞装置、作動口等）とを備えた弾球遊技機」が挙げられる。
【０２１９】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された入球手段（一般入賞口、可変入賞装置、作動口等）とを備え、前記遊技領域を流下する遊技球の挙動を視認可能に構成されてなる弾球遊技機」が挙げられる。
【０２２０】
Ｃ．上記各手段における前記遊技機、又は、上記各弾球遊技機は、パチンコ機又はパチンコ機に準ずる遊技機であること。
【符号の説明】
【０２２１】
１０…パチンコ機、３３…始動入賞ユニット、３５…可変表示装置ユニット、４２…装飾図柄表示装置、４２ａ…液晶表示部、４７…センターフレーム、２１３…フレームカバー、７５５…保護パネル、７５６…画面保護部、７５７…役物保護部、７５８…段差部、７６１…上部役物ユニット、７６２…下部役物ユニット、７６２ａ…可動部材、７７０…メインステージ部、７８３…左上ステージ部、７８４…右上ステージ部、７９１…三角凸部、８１０…リブ、７５４…演出領域、Ｂ…遊技球。
【図１】
2020044419.tif 000003
【図２】
2020044419.tif 000004
【図３】
2020044419.tif 000005
【図４】
2020044419.tif 000006
【図５】
2020044419.tif 000007
【図６】
2020044419.tif 000008
【図７】
2020044419.tif 000009
【図８】
2020044419.tif 000010
【図９】
2020044419.tif 000011
【図１０】
2020044419.tif 000012
【図１１】
2020044419.tif 000013
【図１２】
2020044419.tif 000014
【図１３】
2020044419.tif 000015
【図１４】
2020044419.tif 000016
【図１５】
2020044419.tif 000017
【図１６】
2020044419.tif 000018
【図１７】
2020044419.tif 000019